(57)【特許請求の範囲】
【請求項１】
特に高周波パワーフィルタ用の可変または可調整コンデンサであって、主に、導電性材料からなる第一のエレメントと、同じく導電性材料からなる第二のエレメントとを含み、前記第一のエレメントは、少なくとも一部が中空のロッドまたはバーとして構成され、管部分を構成するために前記第一のエレメントの本体に軸方向に延びる穴または穿孔を含み、前記第二のエレメントは、前記軸方向の穴に可変の深さではめ込み可能なロッドとして構成され、第一のエレメントへの第二のエレメントの係合深さによって相互の容量結合の程度を決定し、従って結果としての容量の値を決定し、管部分（２”）が、管部分の内面に、誘電性材料の層（４）を備え、前記誘電性材料の層が、前記管部分（２”）の内面によって画定される軸穴（２’）の出入り開口部を画定する縁（２’”）を越えて、前記管部分（２”）の外面に隣接する部分に連続して延びており、第一のエレメント（２）の外面に備えられた層部分（４”）の軸方向に延びる長さ（ｌ）が、第一のエレメント（２）の軸穴（２’）を画定する管部分（２”）の内面に備えられた層部分（４’）の軸方向に伸びる長さ（Ｌ）の１０％より大きいことを特徴とする、可変コンデンサ。
【請求項２】
前記管部分（２”）の軸穴（２’）の深さのほぼ全体に、誘電性材料の層（４）が備えられている、請求項１に記載の可変コンデンサ。
【請求項３】
前記第二のエレメント（３）が、第一のエレメント（２）内でスライド接触しながら摺動し、第一および第二のエレメント（２、３）が、双方とも円形の断面を有することを特徴とする、請求項１または２に記載の可変コンデンサ。
【請求項４】
誘電性材料の層（４）が、ポリテトラフルオロエチレンからなり、ほぼ一定の厚みを有し、第一のエレメント（２）の外面に備えられた層部分（４”）の軸方向に延びる長さ（ｌ）が、第一のエレメント（２）の軸穴（２’）を画定する管部分（２”）の内面に備えられた層部分（４’）の軸方向に伸びる長さ（Ｌ）の１５％から６０％であることを特徴とする、請求項１から３のいずれか一項に記載の可変コンデンサ。
【請求項５】
第一のエレメント（２）の外面に備えられた層部分（４”）の軸方向に延びる長さ（ｌ）が、第一のエレメント（２）の軸穴（２’）を画定する管部分（２”）の内面に備えられた層部分（４’）の軸方向に伸びる長さ（Ｌ）の３５％から５５％であることを特徴とする、請求項４に記載の可変コンデンサ。
【請求項６】
誘電性材料の層（４）が、第一のエレメント（２）にはめ込み固定される一続きのエレメントまたは本体から形成され、前記本体（４）が、小さい直径と長い長さの第一のスリーブ（４’）と、前記第一のスリーブ（４’）の周囲に配置される大きい直径と短い長さの第二のスリーブ（４”）と、各端縁の一つで２個のスリーブ（４’、４”）を結合する接合リング（４’”）とから構成されることを特徴とする、請求項１から５のいずれか一項に記載の可変コンデンサ。
【請求項７】
軸穴（２’）が盲穴であり、第一のエレメント（２）が、組立または固定のために軸方向または横方向に延びる、ねじ切りされた、またはねじ切りされない、少なくとも一つの別の穿孔（５）を有することを特徴とする、請求項１から６のいずれか一項に記載の可変コンデンサ。
【請求項８】
第二のエレメント（３）が、ねじからなり、該ねじが、第一のエレメント（２）の軸穴（２’）に調整式に係合されるねじ切りされない部分（３’）を、ヘッド（３’”）の反対端の側に備えることを特徴とする、請求項１から７のいずれか一項に記載の可変コンデンサ。
【請求項９】
第一のエレメント（２）および第二のエレメント（３）が、支持体（６）に取り付けられており、ねじとして構成された第二のエレメント（３）を、その長手方向軸を中心として回転させることにより、第一のエレメント（２）に対して摺動させることができるように、第二のエレメント（３）が、ヘッド（３’”）に隣接するねじ切り部分（３）の領域で前記支持体に取り付けられることを特徴とする、請求項７または８に記載の可変コンデンサ。
【請求項１０】
ねじ（３）のねじ切り部分（３”）およびねじを切っていない部分（３’）の軸方向の長さがほぼ同じであることを特徴とする、請求項８または９に記載の可変コンデンサ。
【請求項１１】
請求項１から１０のいずれか一項に記載の少なくとも一つの可変または可調整コンデンサ（１）を含むことを特徴とする、特に帯域通過タイプの高周波フィルタ。
【請求項１２】
請求項１から１０のいずれか一項に記載の少なくとも一つの可変または可調整コンデンサ（１）を含むことを特徴とする、ＲＭＮパワーセンサ。
【発明の詳細な説明】
【０００１】
【発明の属する技術分野】
本発明は、能動的な電気構成部品、特に容量特性を備えた構成部品の分野に関し、可変容量（すなわち可変コンデンサ）と、少なくとも一つのこのような容量を内蔵する高周波フィルタおよびＲＭＮセンサとを目的とする。
【０００２】
【従来の技術】
特に、核磁気共鳴（ＲＭＮ）に関連する幾つかの用途では、強いパワーに耐えることができる高周波調整構成部品を使用することが必要である。もちろん、このような構成部品は、容易に調整可能であり、簡単に製造できて、原価が安く、すぐれた耐久性を考慮に入れていることが有利である。
【０００３】
かくして、可変容量に関して、主に、導電性材料からなる第一のエレメントと、同じく導電性材料からなる第二のエレメントとを含み、第一のエレメントは、少なくとも一部が中空のロッドまたはバーとして構成され、管部分を構成するために前記第一のエレメントの本体に軸方向に延びる穴または穿孔（ｐｅｒｆｏｒａｔｉｏｎ）を含み、第二のエレメントは、前記軸方向の穴に可変の深さではめ込み可能なロッドとして構成され、第一のエレメントへの第二のエレメントの係合深さによって相互の容量結合の程度を決定し、従って結果としての容量（ｃａｐａｃｉｔｅ  ｒｅｓｕｌｔａｎｔｅ）の値を決定する可変容量構造が提案されている。
【０００４】
これらの容量は、特に、高周波フィルタの製造に用いられる。
【０００５】
このような容量構成は、大量のダイナミックな電流に耐えることが可能であるが、一定の用途では電圧耐性が不充分であり、あるいは過電圧の場合、アーク放電が起きる恐れに対して十分な安全性を保証することができない。
【０００６】
【発明が解決しようとする課題】
本発明は、特に、上記のタイプの可変容量を改善し、上記の不都合を解消することを目的とする。
【０００７】
【課題を解決するための手段】
このため、本発明は、上記のタイプの可変または調整容量を提案し、管部分が、その内面、好適には軸穴の深さのほぼ全体に、誘電性（ｄｉｅｌｅｃｔｒｉｑｕｅ）材料の層を備え、前記層が、好適には、前記穴の出入り開口部を画定する縁を超えて、前記管部分の外面に隣接する部分に連続して延びることを特徴とする。
【０００８】
本発明は、添付図面に関して、限定的ではなく例として挙げられた好ましい実施形態についての以下の説明により、いっそう理解されるであろう。
【０００９】
【発明の実施の形態】
添付図に示されているように、容量１は、主に、導電性材料からなる第一のエレメント２と、同じく導電性材料からなる第二のエレメント３とを含み、第一のエレメント２は、少なくとも一部が中空のロッドまたはバーとして構成され、管部分２”を構成するために第一のエレメント２の本体に軸方向に延びる穴または穿孔２’を含み、第二のエレメント３は、前記軸方向の穴３’に可変の深さではめ込み可能なロッドとして構成され、第一のエレメント２への第二のエレメント３の係合深さによって相互の容量結合の程度を決定し、従って結果としての容量の値を決定する。
【００１０】
本発明によれば、第一の構成エレメント２の管部分２”は、その内面、好適には軸穴２’の深さのほぼ全体に、誘電性材料の層４を備え、前記層が、前記穴２’の出入り開口部を画定する縁２’”を超えて、前記管部分２”の外面に隣接する部分に連続して延びる。
【００１１】
容量１のこのような構成により、上記の欠点の解消に加えて、エレメントの形状の改良に関連するアーク放電の問題を、事前に適切にシミュレーションすることができる。
【００１２】
２個のエレメント２、３の間の相対的な軸方向摺動運動の際に、電気特性を徐々に変化させるために、また、第一のエレメント２内での第二のエレメント３の移動を容易にし、正確にガイドするために、前記第二のエレメント３は、第一のエレメント２内でスライド接触しながら摺動し、これらのエレメント２、３は、少なくとも向かい合った各面で双方とも円形の断面を有することが好ましい。
【００１３】
本発明の好適な実施形態によれば、誘電性材料の層４が、ポリテトラフルオロエチレン（ＴＥＦＬＯＮ−登録商標）からなり、ほぼ一定の厚みを有する。
【００１４】
発明者が確認したところによれば、第一のエレメント２の外面にはめ込まれる層部分４”の軸方向に延びる長さｌが、軸穴２’を画定する管部分２”の内面にはめ込まれる層部分４’の軸方向に伸びる長さＬの１０％より大きく、有利には１５％から６０％であり、好適には３５％から５５％（コスト／パフォーマンスが最適になる）である場合、電気放電に対して非常に適切な保護が得られる。
【００１５】
かくして、前記軸方向の長さｌは、軸方向の長さが、４５ｍｍの場合、約２０ｍｍにすることができ、第一のエレメント２の内径は約５ｍｍである。
【００１６】
変形実施形態では、外側の層部分４”が同様に第一のエレメント２の外面全体を被覆することができる。
【００１７】
誘電性材料の層は、たとえば、管部分２”の関与する面への付着により固定可能である。
【００１８】
しかしながら、添付図２Ａ、２Ｂ、２Ｃに示された本発明の有利な変形実施形態によれば、誘電性材料の層４は、第一のエレメント２にはめ込み固定された、好適には一続きのエレメントまたは本体から形成され、前記本体４が、小さい直径と長い長さの第一のスリーブ４’と、前記第一のスリーブ４’の周囲に配置された大きい直径と短い長さの第二のスリーブ４”と、各端縁の一つで２個のスリーブ４’、４”を結合する接合リング４’”とから構成される。
【００１９】
特に添付図２Ｂに示したように、軸穴２’が盲穴であり、第一のエレメント２が、組立または固定のために軸方向または横方向に延びる、ねじ切りされた、またはねじ切りされない、少なくとも一つの別の穿孔５を有する。
【００２０】
場合によっては、前記第一のエレメント２が、第一の軸穴２’の反対側に第二の軸穴５を含むことができ、この軸穴は、取り付けられる支持体の所定の位置に、第一のエレメントを固定および調整するための内面ねじ切りを備える。
【００２１】
好適には、添付図２Ａに示したように、第二のエレメント３がねじからなり、このねじは、第一のエレメント２の軸穴２’に、好適には調整式に係合されるねじ切りされない部分３’を、ヘッド３’”の反対端の側に有する（かくして、エレメント３は延長ねじを形成する）。
【００２２】
添付図１が部分的に示すように、第一のエレメント２および第二のエレメント３が、支持体６（一部を図示）に取り付けられ、ねじとして構成された第二のエレメント３が、長手方向の軸を中心とする回転により第一のエレメント２に対して摺動できるようにしながら、ヘッド３’”に隣接するねじ切り部分３に結合される。
【００２３】
可変容量１の調整を最適化するために、ねじ３のねじ切り部分３”およびねじを切っていない部分３’の軸方向の長さをほぼ同じにする。
【００２４】
本発明は、また、少なくとも一つの可変または調整容量１を含むことを特徴とする、特に帯域通過タイプの高周波フィルタ（図示せず）を目的とする。
【００２５】
さらに、本発明はまた、上記のタイプの少なくとも一つの可変または調整容量１を含むことを特徴とするＲＭＮパワーセンサに関する。
【００２６】
もちろん、本発明は、記載され、添付図面に示された実施形態に限定されるものではない。特に、本発明の範囲を逸脱することなく、各種エレメントの構成の観点から、あるいは同等技術の代替により、様々な変更が可能である。
【図面の簡単な説明】
【図１】本発明による可変容量の部分断面図である。
【図２Ａ】本発明の好適な変形実施形態による可変容量の構成エレメントの側面立面図である。
【図２Ｂ】本発明の好適な変形実施形態による可変容量の構成エレメントの側面立面図である。
【図２Ｃ】本発明の好適な変形実施形態による可変容量の構成エレメントの縦断面図である。
【符号の説明】
１  可変容量
２  第一のエレメント
２’  穴または穿孔
２”  管部分
２’”  縁
３  第二のエレメントまたはねじ
３’  ねじ切りされていない部分
３”  ねじ切り部分
３’”  ヘッド
４  誘電性材料の層
４’  第一のスリーブ
４”  第二のスリーブ
４’”  接合リング
５  第二の軸穴
【図１】
0004043373.tif 000002
【図２Ａ】
0004043373.tif 000003
【図２Ｂ】
0004043373.tif 000004
【図２Ｃ】
0004043373.tif 000005